(57)【要約】      （修正有）【課題】省資源のためにティッシュペーパーの分断使用が容易に行える包装箱を提供する。【解決手段】ティッシュペーパーＡを収納し、箱上面の細長の取出口に取出用スリット５１を設けた樹脂フィルム５が貼着されたティッシュペーパー用包装箱において、取出口４の形成に際して取出口長手縁の一方と折曲線で箱上面と連続して箱上面１の一部として残される分断用突出片６が、中央先端に設けた三角突起６１と、前記三角突起の側辺に連続して折曲線方向へ適宜幅まで至る分断用肩縁６２を有する分断舌片部６３とを備えるように、破断用切目線が設けられている。【選択図】図３
2013216337.tif 000002
【特許請求の範囲】
【請求項１】
交互に折り畳まれて積層されたティッシュペーパーを収納し、箱上面の一部を蓋部として破断用切目線に沿って切り取り可能に設けると共に、前記蓋部を切除して形成される細長の取出口にティッシュペーパーの取出用スリットを設けた樹脂フィルムが貼着され、前記取出用スリットを通してティッシュペーパーを引き出す構成としたティッシュペーパー用包装箱において、前記蓋部が、形成される取出口の長手縁の一方と折曲線で箱上面と連続し、先端が取出用スリットを越える分断用突出片が箱上面の一部として残され、且つ前記分断用突出片が、中央先端に設けた三角突起と、前記三角突起の側辺に連続して折曲線方向へ適宜幅まで至る分断用肩縁を有する分断舌片部とを備えるように、破断用切目線が設けられていることを特徴とするティッシュペーパー用包装箱。
【請求項２】
分断用突出片が、三角突起と、椀状の分断舌片部と、分断舌片部の基部から折曲線に至山裾形状に形成した連結裾部とで構成してなる請求項１記載のティッシュペーパー用包装箱。
【請求項３】
分断用突出片の三角突起の先端位置を、取出口の対向長手縁に一致させてなる請求項１又は２記載のティッシュペーパー用包装箱。
【発明の詳細な説明】
【技術分野】
【０００１】
本発明は、ティッシュペーパー用包装箱に関するものである。
【背景技術】
【０００２】
ティッシュペーパー用包装箱は、収納箱の上面にティッシュペーパーを取り出すための取出口を設け、前記取出口よりティッシュペーパーを一枚取り出すと次のティッシュペーパーが引き出されるように、多数枚のティッシュペーパーを折り重ねて収納している。特に前記取出口は、流通の段階では蓋部によって覆われており、使用開始時に前記蓋部を破断用切目線に沿って切り取り、或いは切断して取出口を形成しているものである。
【０００３】
前記の取出口の構造としては、引き出されたティッシュペーパーを保持するために、ティッシュペーパーが通過する取出用スリットを設けた樹脂フィルムを、取出口全体を塞ぐように取出口の縁下側に予め貼着しているものが多用されている（特許文献１：実開昭６３−１３７７２５号公報の図６）。
【０００４】
また前記の樹脂フィルムを使用した場合は、製造コストが嵩むと共に、ティッシュペーパーが無くなって廃棄する際に、ゴミの分別処理のため樹脂フィルムを剥離して紙製の箱とを分別しなければならない煩雑さを解消するために、樹脂フィルムを使用せずに、蓋部を破断用切目線で切断して取り除くと共に、切断箇所の左右部分（蓋片部）を起立傾斜させて、引き出されたティッシュペーパーを保持する構造（フィルムレス構造）も知られている（特許文献２：実用新案登録３０７１５０２号公報）。
【０００５】
ところで、前記のティッシュペーパー用包装箱は、出口よりティッシュペーパーを一枚取り出すと次のティッシュペーパーが引き出され、全て一枚毎の使い切りとなっている。しかしティッシュペーパーは通常二枚重ねとなっており、引き出される一枚とは二枚重ねの状態のものであり、ティッシュペーパー一枚の使用が無駄と感ずるような場合がる。この対応として、ティッシュペーパーを途中で分断するための器具として、ティッシュペーパー用包装箱に装着されるホルダーが市場に存在する（非特許文献１）。
【０００６】
前記ホルダーは、ティッシュペーパー用包装箱に装着した際に、取出口に対して三角板部が臨む構造としおり、ティッシュペーパーを途中まで引き出すと三角板部を倒伏して、その先部で取出口を塞ぎ、ティッシュペーパーを千切り取るようし、千切り取った部分を使用して残余の部分はそのままとするものである。
【先行技術文献】
【特許文献】
【０００７】
【特許文献１】実開昭６３−１３７７２５号公報図６。
【特許文献２】実用新案登録３０７１５０２号公報。
【非特許文献】
【０００８】
【非特許文献１】楽天お取り寄せ捜索隊「ティッシュペーパーを節約できるホルダー」平成２４年３月１９日検索、インターネット＜ＵＲＬ：http://rakupon.blog91.fc2.com/blog-entry-1866.html＞
【発明の概要】
【発明が解決しようとする課題】
【０００９】
ティッシュペーパーを分断して使用することを目的とした前記の既存ホルダーは、そもそも省資源のためであるのに、ティッシュペーパー用包装箱と別に更にホルダーを必要とするもので、必ずしも省資源に貢献するとは言えない。
【００１０】
また取出口の位置に三角板部を進出させてティッシュペーパーの一部を押さえ、単にティッシュペーパーを引っ張ったのみでは、ティッシュペーパー自体が相応の強度を備えているため、ティッシュペーパーは強度の弱いところから断裂するので、所望位置から正確に分断することができず、単にむしり取って分断しているに過ぎないものである。従ってティッシュペーパーの引き出し量（引出長さ）が一緒でも、引っ張り状態によって断裂位置が異なり、分断される分量が一致せず不揃いとなる。
【００１１】
そこで本発明は、省資源に優れ、且つ分断正確性に優れた新規なティッシュペーパー用包装箱を提案したものである。
【課題を解決するための手段】
【００１２】
本発明に係るティッシュペーパー用包装箱は、交互に折り畳まれて積層されたティッシュペーパーを収納し、箱上面の一部を蓋部として破断用切目線に沿って切り取り可能に設けると共に、前記蓋部を切除して形成される細長の取出口にティッシュペーパーの取出用スリットを設けた樹脂フィルムが貼着され、前記取出用スリットを通してティッシュペーパーを引き出す構成としたティッシュペーパー用包装箱において、前記蓋部が、形成される取出口の長手縁の一方と折曲線で箱上面と連続し、先端が取出用スリットを越える分断用突出片が箱上面の一部として残され、且つ前記分断用突出片が、中央先端に設けた三角突起と、前記三角突起の側辺に連続して折曲線方向へ適宜幅まで至る分断用肩縁を有する分断舌片部とを備えるように、破断用切目線が設けられていることを特徴とするものである。
【００１３】
而して破断用切目線に沿って切り取ると、包装箱上面には、取出口が開口形成されると共に、分断用突出片が取出用スリットの一部を塞ぐようにして残るので、分断用突出片は折曲線で折り曲げてやや傾斜状態とする。前記状態でティッシュペーパーを特に注意せずに取出用スリットより引っ張り出すと、特に分断用突出片と当接していても、分断用突出片を跳ね上げるので、何ら支障なく順次ティッシュペーパーの取り出しがなされるものである。
【００１４】
ティッシュペーパーを途中まで引き出し、分断したペーパーを使用する場合には、途中まで引き出したティッシュペーパーをそのまま分断用突出片方向へ引っ張ると、三角突起がティッシュペーパーに食い込んで断裂初端が形成され、更に前記の引張力が分断舌片部の分断用肩縁に集中してティッシュペーパーに断裂が生じ、そのまま引っ張るとティッシュペーパーは前記断裂部分から分断されることになる。
【００１５】
尚分断用突出片における折曲線での保持強度（傾斜起立維持）が低下してしまった場合には、途中まで引き出したティッシュペーパーを分断用突出片方向に引っ張っても、ティッシュペーパーによって分断用突出片が跳ね上がってしまい、三角突起がティッシュペーパーに食い込まない状態となるので、その際には分断用突出片を指で押さえてティッシュペーパーの分断を行う。
【００１６】
また本発明（請求項２）は、前記のティッシュペーパー用包装箱において、特に分断用突出片が、三角突起と、椀状の分断舌片部と、分断舌片部の基部から折曲線に至る山裾形状に形成した連結裾部とで構成してなるもので、折曲線部分が充分に長いと、ティッシュペーパー分断作業によって負荷が加わる折曲線部分の弱体化を防止し、分断用突出片を指で押さえてのティッシュペーパーの分断作業を行う必要性が少なくなる。
【００１７】
更に本発明（請求項３）は、前記のティッシュペーパー用包装箱において、分断用突出片の三角突起の先端位置を、取出口の対向長手縁に一致させてなるもので、破断用切目線に沿って切り取りを行うと、蓋部が２枚に切り取られると共に、切り取り端部で三角突起が形成されることになるので、三角突起の切り取り形成が支障なくスムーズに行われる。
【発明の効果】
【００１８】
本発明の構成は前記のとおりで、ティッシュペーパー用包装箱において、蓋部の切除によって取出口を開口形成すると当時に、箱上面の一部が取り出し途中のティッシュペーパーを分断するための分断用突出片を形成するもので、従前の包装箱の製造過程における破断用切目線の形状を変更するのみで実現でき製造上の負担が増加することなくティッシュペーパー用包装箱の機能を向上させる利点があり、而も別部材を使用することなく包装箱自体にティッシュペーパー分断機能を備えさせたことで、省資源に貢献するものである。更にティッシュペーパーを分断する際に、三角突起による断裂初端の形成、及び分断舌片部の分断用肩縁による断裂がなされるので、分断の正確性が確保される優れた機能をも有しているものである。
【図面の簡単な説明】
【００１９】
【図１】本発明の実施形態（第一実施例）の包装箱の平面図で、（イ）は蓋部切除前、（ロ）は蓋部切除後を示す。
【図２】同使用状態（ティッシュペーパーの非分断時）の説明図。
【図３】同使用状態（ティッシュペーパーの分断時）の説明図。
【図４】本発明の第二実施例の包装箱の蓋部切除前の平面図。
【図５】本発明の第三実施例の包装箱の蓋部切除前の平面図。
【発明を実施するための形態】
【００２０】
次に本発明の実施形態（第一実施例）を、図１乃至３に基づいて説明する。実施形態に示したティッシュペーパー用包装箱は、基本的に従前と同様で、交互に折り畳まれて積層されたティッシュペーパーＡが収納され、箱上面１の一部を蓋部２として破断用切目線３に沿って切り取り可能に設け、蓋部２を切除すると、細長の取出口４が形成されるもので、特に取出口４には、ティッシュペーパーＡの取出用スリット５１を設けた樹脂フィルム５が貼着されている。
【００２１】
本発明は、前記蓋部２を切除した際に、前記取出口４に分断用突出片６が形成されるようにしたものであり、分断用突出片６は、三角突起６１と、分断用肩縁６２を備えた分断舌片部６３と、取出口４の長手縁の一方と折曲線６４で箱上面１と連続する連結裾部６５で構成されている。
【００２２】
三角突起６１は、蓋部２における取出口４の長手縁となる破断用切目線３の位置に、その先端が一致するようにしたものである。
【００２３】
分断舌片部６３は、三角突起６１の側辺に連続して折曲線方向へ適宜幅（基部幅）まで至る椀状とした分断用肩縁６２を有するもので、前記の基部幅は、ティッシュペーパーＡの中央部分が分断用肩縁６２まで断裂した後に引っ張り力を加えた際、ティッシュペーパーＡが前記断裂線の延長としてスムーズに分断される幅であり、且つ分断舌片部６３の基部がティッシュペーパーＡの分断動作を担っても腰が折れない耐久力を備える幅であり、３〜５ｃｍ程度が望ましい。
【００２４】
連結裾部６５は、前記分断舌片部６３の基部（分断用肩縁６２の終端）から折曲線６４に至る山裾形状に形成したもので、折曲線６４が充分な長さを備えるようにしたものである。
【００２５】
而して破断用切目線３に沿って蓋部２を切り取ると、包装箱上面１には取出口４が形成されると共に、分断用突出片６が取出用スリット５１の一部を塞ぐようにして残る（図１ロ）。
【００２６】
そこでティッシュペーパーＡを取り出すためには、取出口４に残った分断用突出片６を折曲線６４で折り曲げ、傾斜状態に起立させる。直立させると分断動作が面倒になるので、先端の三角突起６１の部分が取出用スリット５１の上方に飛び出ている状態が良い。勿論略直立状態として取出用スリット５１の上方に進出しない状態としても良い。
【００２７】
そしてティッシュペーパーＡを分断することなく使用する場合には、従前の動作と同様に、単にティッシュペーパーＡを特に注意せずに取出用スリット５１から引っ張り出すのみで良い。引っ張り動作の途中においてティッシュペーパーＡが分断用突出片６と当接しても、分断用突出片６を跳ね上げ、三角突起６１がティッシュペーパーＡに突き刺さることが無いので、何ら支障なく順次ティッシュペーパーＡの取り出しを行うことができる（図２）。
【００２８】
次にティッシュペーパーＡを途中まで引き出し、その分断使用を行う場合には、図３に示すように、途中まで引き出したティッシュペーパーＡをそのまま分断用突出片６の方向へ引っ張ると、三角突起６１がティッシュペーパーＡに食い込んで断裂初端を形成し、更に連続して引っ張り力が分断用肩縁６２に圧力として集中するので、ティッシュペーパーＡに分断用肩縁６２によって断裂Ｂが生じ、更にそのまま引っ張るとティッシュペーパーＡは前記断裂Ｂが拡大して、当該部分から二つ分断される。
【００２９】
従ってティッシュペーパーＡは、この分断動作によって二分される。また包装箱に残ったティッシュペーパーＡ１も、そのまま引き抜くと二分されたティッシュペーパーＡ１となり、図１の状態に戻るものである。
【００３０】
尚分断動作を説明する図３では、ティッシュペーパーＡを引っ張り出す右手Ｃ以外に、包装箱を保持する左手Ｄの指で分断用突出片６を押さえるように図示しているが、折曲線６４が充分に長く一定の傾斜状態の位置を保持している場合には、分断用突出片６を指で押さえなくとも、途中まで引き出したティッシュペーパーＡをそのまま分断用突出片６側に引っ張ると、分断用突出片６によるティッシュペーパーＡを断裂させることができる。
【００３１】
左手Ｄの使用は、ティッシュペーパーＡの残りが少なくなり、それまでに分断用突出片６が何回も跳ね上られて折曲線６４の部分の腰が弱くなった場合や、初めから分断用突出片６が取出用スリット５１の上方位置から離れて起立させた場合で、適切な分断動作を行うために分断用突出片６を指で押さえるようにする。
【００３２】
また本発明は、前記した第一実施例に限定されるものではなく、例えば図４に示すように、分断用突出片６の先端が蓋部２における取出口４の長手縁となる破断用切目線３の位置に一致しなくとも良く、分断用突出片６の先端が取出用スリットを越える位置まで突出していると、引っ張り出し途中のティッシュペーパーＡを、分断用突出片６の三角突起６１に引っかけるようにして断裂初端が形成されるようすれば良いものである。
【００３３】
また図５に示すように破断線切目線３で区画される取出口が小さい場合には、所定の取出口よりも突出する位置まで分断用突出片６が設けられるようにしても良いし、更には、三角突起６１から分断用肩縁６２が連続するような形状であっても良い。
【符号の説明】
【００３４】
１      箱上面
２      蓋部
３      破断用切目線
４      取出口
５      樹脂フィルム
５１    取出用スリット
６      分断用突出片
６１    三角突起
６２    分断用肩縁
６３    分断舌片部
６４    折曲線
６５    連結裾部
【図１】
2013216337.tif 000003
【図２】
2013216337.tif 000004
【図３】
2013216337.tif 000005
【図４】
2013216337.tif 000006
【図５】
2013216337.tif 000007